(57)【要約】  サイン表示装置は、サイン表示を構成するサインデータが記憶されているデータベースと、データベースに記憶されているサインデータを組み合わせることで、サイン表示を行うためのサイン内容を設定する設定部と、サイン切り替えのトリガとなる切り替え情報を受信し、切り替え情報に基づいて設定部で設定されたサイン内容を切り替え、サイン表示を行う制御部とを備える。
2020208819.tif 000002
【特許請求の範囲】
【請求項１】
サイン表示を構成するサインデータが記憶されているデータベースと、
前記データベースに記憶されている前記サインデータを組み合わせることで、前記サイン表示を行うためのサイン内容を設定する設定部と、
サイン切り替えのトリガとなる切り替え情報を受信し、前記切り替え情報に基づいて前記設定部で設定された前記サイン内容を切り替え、前記サイン表示を行う制御部と
を備えるサイン表示装置。
【請求項２】
前記設定部は、前記データベースに記憶されている前記サインデータを組み合わせることで、第１のサイン内容と第２のサイン内容とが含まれるように前記サイン内容を設定し、
前記制御部は、前記切り替え情報に基づいて前記サイン内容を切り替える際に、前記第１のサイン内容を切り替えるために第１のルールを適用し、前記第２のサイン内容を切り替えるために前記第１のルールとは異なる第２のルールを適用することで、前記サイン内容を切り替える
請求項１に記載のサイン表示装置。
【請求項３】
前記切り替え情報は、前記サイン表示による誘導先の変更に伴う表示切り替えを行うための第１の切り替え情報と、前記サイン表示が投影されるエリアの状況に応じて表示切り替えを行うための第２の切り替え情報とを含んで構成され、
前記制御部は、
前記第１の切り替え情報を受信した場合には、変更前の誘導先に関する表示コンテンツをすべて消灯させた後、変更後の誘導先に関する表示コンテンツを表示させるように前記サイン内容を切り替え、前記サイン表示を行い、
前記第２の切り替え情報を受信した場合には、前記エリア内の特定の表示コンテンツを常時点灯状態とした上で、前記特定の表示コンテンツ以外の一部の表示コンテンツを変更するように前記サイン内容を切り替え、前記サイン表示を行う
請求項１または２に記載のサイン表示装置。
【請求項４】
前記切り替え情報は、前記サイン表示を視認する利用者の属性を示す第３の切り替え情報を含んで構成され、
前記制御部は、前記第３の切り替え情報を受信した場合には、前記属性に応じて前記サイン内容を切り替え、前記サイン表示を行う
請求項１から３のいずれか１項に記載のサイン表示装置。
【請求項５】
前記切り替え情報は、前記サイン表示を視認する利用者に対して知らせるべき緊急情報および緊急度を示す第４の切り替え情報を含んで構成され、
前記制御部は、前記第４の切り替え情報を受信した場合には、前記緊急度に応じて前記緊急情報を表示するように前記サイン内容を切り替え、前記サイン表示を行う
請求項１から４のいずれか１項に記載のサイン表示装置。
【請求項６】
サイン表示を構成するサインデータが記憶されているデータベースを参照し、前記データベースに記憶されている前記サインデータを組み合わせることで、前記サイン表示を行うためのサイン内容を設定する設定ステップと、
サイン切り替えのトリガとなる切り替え情報を受信し、前記切り替え情報に基づいて前記設定ステップで設定された前記サイン内容を切り替え、前記サイン表示を行う制御ステップと
を有するサイン表示切り替え方法。
【発明の詳細な説明】
【技術分野】
【０００１】
本発明は、切り替え情報に応じてサイン内容を切り替えてサイン表示を行うサイン表示装置およびサイン表示切り替え方法に関する。
【背景技術】
【０００２】
第１投影装置および第２投影装置を備え、サイン表示を行う従来技術がある（例えば、特許文献１参照）。特許文献１において、第１投影装置は、広告により注意を喚起するか、または位置を表示することによって、施設等の利用者を所望の位置に促す。そして、特許文献１において、第２投影装置は、所望の位置から見やすい位置に、利用者に見てほしい画像として、方向案内、案内先の情報等を表示している。特許文献１では、第２投影装置が、床面にサインを投射する例が記載されている。
【先行技術文献】
【特許文献】
【０００３】
【特許文献１】特開２０１７−６２３１９号公報
【発明の概要】
【発明が解決しようとする課題】
【０００４】
特許文献１には、道路面上あるいは施設の床面上にサイン表示を行うことで、案内画像を表示するシステム構成が開示されている。しかしながら、特許文献１には、案内の内容が切り替わる際のサイン表示の切り替え方法に関する記載まではない。【０００５】
従って、特許文献１による案内画像の表示では、サイン表示が切り替わる際に、サイン表示を視認する利用者に対して、サインがあることが正確に伝わらなくなってしまうおそれがある。このため、サイン表示が切り替わるトリガによっては、サインがなくなったと利用者に誤解されてしまうこととなっていた。【０００６】
特に、個々人に対応した種々の案内を行う際には、サイン表示が切り替わることが多くなる。従って、特許文献１による案内画像の表示が行われる際には、サイン表示を視認する利用者は、サインが自分に関係するものかどうかの区別が付きにくくなってしまう。【０００７】
本発明は、前記のような課題を解決するためになされたものであり、個々人に対応してサイン表示を切り替える際に、サイン表示を視認する個々の利用者に対してサイン表示が自分に関係するものであることを分かり易く表示させることのできるサイン表示装置およびサイン表示切り替え方法を得ることを目的とする。
【課題を解決するための手段】
【０００８】
本発明に係るサイン表示装置は、サイン表示を構成するサインデータが記憶されているデータベースと、データベースに記憶されているサインデータを組み合わせることで、サイン表示を行うためのサイン内容を設定する設定部と、サイン切り替えのトリガとなる切り替え情報を受信し、切り替え情報に基づいて設定部で設定されたサイン内容を切り替え、サイン表示を行う制御部とを備えるものである。【０００９】
また、本発明に係るサイン表示切り替え方法は、サイン表示を構成するサインデータが記憶されているデータベースを参照し、データベースに記憶されているサインデータを組み合わせることで、サイン表示を行うためのサイン内容を設定する設定ステップと、サイン切り替えのトリガとなる切り替え情報を受信し、切り替え情報に基づいて設定ステップで設定されたサイン内容を切り替え、サイン表示を行う制御ステップとを有するものである。
【発明の効果】
【００１０】
本発明によれば、サイン切り替えのトリガとなる切り替え情報に基づいて、個々の利用者に応じてサイン内容を切り替えて表示できる構成を備えている。この結果、個々人に対応してサイン表示を切り替える際に、サイン表示を視認する個々の利用者に対してサイン表示が自分に関係するものであることを分かり易く表示させることのできるサイン表示装置およびサイン表示切り替え方法を得ることができる。
【図面の簡単な説明】
【００１１】
【図１】本発明の実施の形態１に係るサイン表示装置の構成を示す機能ブロック図である。
【図２】本発明の実施の形態１に係る制御部により実行されるサイン内容の表示切り替え制御に関する具体例１−１を示した図である。
【図３】本発明の実施の形態１に係る制御部により実行されるサイン内容の表示切り替え制御に関する具体例１−２を示した図である。
【図４】本発明の実施の形態１に係る制御部により実行されるサイン内容の表示切り替え制御に関する具体例２を示した図である。
【図５】本発明の実施の形態１に係る制御部により実行されるサイン内容の表示切り替え制御に関する具体例３−１を示した図である。
【図６】本発明の実施の形態１に係る制御部により実行されるサイン内容の表示切り替え制御に関する具体例３−２を示した図である。
【図７】本発明の実施の形態１に係る制御部により実行されるサイン内容の表示切り替え制御に関する具体例３−３を示した図である。
【図８】本発明の実施の形態１に係る制御部により実行されるサイン内容の表示切り替え制御に関する具体例４−１を示した図である。
【図９】本発明の実施の形態１に係る制御部により実行されるサイン内容の表示切り替え制御に関する具体例４−２を示した図である。
【図１０】本発明の実施の形態１に係る制御部により実行されるサイン内容の表示切り替え制御に関する具体例６−１を示した図である。
【図１１】本発明の実施の形態１に係る制御部により実行されるサイン内容の表示切り替え制御に関する具体例６−２を示した図である。
【図１２】本発明の実施の形態１におけるサイン表示切り替え方法の一連処理を示すフローチャートである。
【図１３】本発明の実施の形態１に係るアニメーション表示装置の各機能を専用のハードウェアである処理回路で実現する場合を示した構成図である。
【図１４】本発明の実施の形態１に係るアニメーション表示装置の各機能をプロセッサおよびメモリを備えた処理回路により実現する場合を示した構成図である。
【発明を実施するための形態】
【００１２】
以下、本発明のサイン表示装置およびサイン表示切り替え方法の実施の形態の例につき、図面を用いて説明する。なお、以下の説明で使用する「サイン」という用語は、記号および文字の組み合わせで構成され、「サイン」を視認する者に対して１つ以上の意味を伝える表示のことを指す。また、以下の説明で使用する「利用者」という用語は、サインを視認する利用者」を意味し、サインから何らかの情報を得る情報享受者に相当する。
【００１３】
実施の形態１．
図１は、本発明の実施の形態１に係るサイン表示装置の構成を示す機能ブロック図である。本実施の形態１に係るサイン表示装置１０は、データベース１１、設定部１２、制御部１３、および出力部１４を備えて構成されている。また、制御部１３は、サイン切り替えのトリガとなる切り替え情報を外部信号として受信できる構成となっている。
【００１４】
データベース１１内には、サイン表示を構成するサインデータが記憶されている。サインデータの具体例としては、以下のものが挙げられる。
・サインの主たる意味を示す図記号、または文字
・方向性を示す図記号
・注意喚起を示す図記号
【００１５】
設定部１２は、サイン表示装置が設置される環境に応じて、データベース１１に記憶されているサインデータを組み合わせることで、サイン表示を行うためのサイン内容を設定する。サイン表示の具体例としては、誘導サイン、注意サインなどがある。
【００１６】
制御部１３は、サイン切り替えのトリガとなる切り替え情報を外部信号として受信する。制御部１３が外部信号として受信する切り替え情報の具体例としては、以下の情報１〜情報６が挙げられる。
・情報１：誘導先の混雑状況
・情報２：サイン表示が投影されるエリア周辺の混雑状況
・情報３：サイン表示を視認する利用者の属性
・情報４：サイン表示を視認する利用者の誘導先
・情報５：サイン表示を行う時間帯
・情報６：緊急度情報
【００１７】
さらに、制御部１３は、切り替え情報に基づいて設定部１２で設定されたサイン内容を切り替え、出力部１４を介してサイン表示を行う。サイン内容の切り替え処理の具体例としては、以下の切り替え処理１〜切り替え処理８が挙げられる。
・切り替え処理１：誘導先の推奨度を切り替え
・切り替え処理２：サインそのものの強調度を切り替え
・切り替え処理３：複数提示サインのうちの１つを強調切り替え
・切り替え処理４：サイン内容の切り替え
・切り替え処理５：サイン内容は切り替えず、例えば使用言語等による伝え方を切り替え
・切り替え処理６：複数の誘導先経路を切り替え
・切り替え処理７：図記号あるいは文字の連続的な切り替え
・切り替え処理８：緊急情報の割り込みによる切り替え
【００１８】
なお、図１に示した構成では、制御部１３が、出力部１４を介してサイン表示を行う場合を例示している。しかしながら、出力部１４による投影機能を制御部１３に含めた構成とし、制御部１３がサイン表示を直接行うようにすることも可能である。
【００１９】
また、図１に示した構成では、サイン表示装置１０が、制御部１３と出力部１４の両方を備える場合を例示している。しかしながら、サイン表示装置１０は、制御部１３のみを備える構成であり、制御部１３が、出力部１４の投影機能を備える別体の投影装置に対して、投影するサイン内容に関する情報を送信する構成とすることも可能である。
【００２０】
次に、制御部１３によって外部信号として取得される切り替え情報について、上述した情報１〜情報６の詳細を説明する。
【００２１】
＜「情報１：誘導先の混雑状況」の説明＞
サイン表示を行う対象が施設であり、サイン表示を視認する利用者を施設内のある誘導先に案内する場合を考える。この場合には、制御部１３は、情報１として取得した誘導先の混雑状況に応じて、サイン表示の切り替え制御を行う。
【００２２】
例えば、施設が空港の場合には、空港ビル内のＩｏＴプラットフォームシステム上において、画像処理技術を用い、出国手続き窓口毎、あるいは手荷物検査窓口毎に、人の流れに関する列の長さを検知することができる。従って、制御部１３は、誘導先の混雑度、あるいは各窓口で手続きに要する時間の概算値を、情報１を含む切り替え情報として、空港ビル内のＩｏＴプラットフォームシステムから取得できる。
【００２３】
また、施設が駅の場合には、電車あるいは駅構内のＩｏＴプラットフォームシステム上において、電車の重量などから各車両の混雑度が算出され、画像認識によるホーム上の人数のカウントによって混雑度が算出される。従って、制御部１３は、誘導先の混雑度を、情報１を含む切り替え情報として、電車あるいは駅構内のＩｏＴプラットフォームシステムから取得できる。
【００２４】
なお、制御部１３は、混雑度を示すパラメータとして、空間内の密度Ｐ１（人／ｍ2）、単位幅の人の流れＰ２（人／分／ｍ）などを取得することができる。また、制御部１３は、混雑度として取得したこれらの数値を、ＬＯＳ（Ｌｅｖｅｌ  ｏｆ  Ｓｅｒｖｉｃｅ）指標などと照らし合わせて、サービスレベルに変換しても良い。表１は、空間内の密度、および単位幅の人の流れを、６段階のサービスレベルＡ〜Ｆに分類した具体例を示している。
【００２５】
【表１】
2020208819.tif 000003
【００２６】
＜「情報２：サイン表示が投影されるエリア周辺の混雑状況」の説明＞
制御部１３は、情報２として取得したサイン表示が投影されるエリア周辺の混雑状況に応じて、サイン表示の切り替え制御を行う。
【００２７】
例えば、制御部１３は、サイン表示が投影されるエリア周辺に設置されたレーザーセンサ、画像センサ等によって検出された、空間内の密度あるいは人の流れ情報を、混雑度として取得することができる。
【００２８】
＜「情報３：サイン表示を視認する利用者の属性」の説明＞
例えば、属性情報が登録されている発信デバイスあるいはＩＣカードを利用者が所持している場合には、ビル内のＩｏＴプラットフォームシステムあるいは専用の読み取り装置を用いることで、サイン表示を視認する利用者の属性を検知することができる。また、ここで、属性情報の具体例としては、車椅子の利用者、ベビーカーの利用者、出身国、母国語などが判断できるレベルの外国人情報などが挙げられる。
【００２９】
また、ビル内の利用者を撮像した画像を処理する画像認識装置を利用できる場合には、画像認識装置により利用者の立ち居振る舞いを画像解析することで、不審者、迷っている利用者、車椅子の利用者、ベビーカーの利用者などの属性情報を識別することができる。
【００３０】
従って、制御部１３は、サイン表示を視認する利用者の属性を、情報３を含む切り替え情報として取得できる。さらに、制御部１３は、属性情報とともに、属性情報が取得された位置に関する情報もあわせて取得することができる。
【００３１】
＜「情報４：サイン表示を視認する利用者の誘導先」の説明＞
例えば、施設が空港あるいは駅の場合には、制御部１３は、チェックインカウンター、改札などを介して、サイン表示を視認する利用者の誘導先に関する情報を、情報４を含む切り替え情報として取得できる。ここで、誘導先とは、空港内における搭乗口、駅内のホームなどが挙げられる。
【００３２】
また、例えば、利用者毎に乗るカゴを推奨するタイプのエレベーターが設置されている施設の場合には、制御部１３は、利用者に対して推奨された特定カゴの位置を、サイン表示を視認する利用者の誘導先として、取得できる。
【００３３】
また、例えば、施設がホテルの場合には、制御部１３は、エレベーター操作パネルを介して、利用者の部屋番号に関する情報を、サイン表示を視認する利用者の誘導先として取得できる。この際には、制御部１３は、部屋番号のみでなく、利用者がエレベーターを降車後に、どちらの方向に利用者の部屋番号に該当する部屋があるかという方向情報も合わせて取得できる。
【００３４】
＜「情報５：サイン表示を行う時間帯」の説明＞
制御部１３は、サイン表示を行う時間帯に関する情報を、情報５を含む切り替え情報として取得できる。制御部１３は、取得した詳細な現在時刻の情報から、「春・夏・秋・冬」、「朝・昼・夕」など、大まかな時期あるいは時間帯の情報に変換し、変換結果に基づいて、時間帯に即した表示切り替え制御を実行してもよい。
【００３５】
＜「情報６：緊急度情報」の説明＞
制御部１３は、例えば、災害発生などによる緊急度情報を、情報６を含む切り替え情報として取得できる。具体的には、官公庁から発行される災害情報などが、この情報６に含まれる。
【００３６】
また、制御部１３は、施設内でのエリアを分割して、エリア毎に詳細な緊急度情報を収集しても良い。例えば、火災の場合には、制御部１３は、施設内に点在させた熱感知システムから、それぞれのエリア毎の熱量に関する情報を収集できる。この場合、制御部１３は、あらかじめ設定された許容熱量を超える熱量が検知されたエリアを、緊急度が高いエリアとして特定し、適切なサイン表示に切り替えることができる。
【００３７】
次に、データベース１１および設定部１２の構成および機能について詳細に説明する。
データベース１１には、サインを構成する記号および文字が、以下のカテゴリＡ〜カテゴリＣに分けて保存されている。記号および文字のカテゴリ分けは、サインの目的によって変わる。すなわち、同じ図記号であっても、サインの目的が異なると、カテゴリが変わる可能性がある。
【００３８】
＜カテゴリＡ：サインの主たる意味を示す図記号あるいは文字＞
このカテゴリＡに属する図記号および文字は、誘導案内の内容に応じて個別に決定される。カテゴリＡに属する図記号および文字の具体例を示すと、以下のようになる。
・エレベーターへの誘導案内：エレベーターの意味を示す図記号あるいは文字。
・車椅子の利用者との接触注意案内：車椅子の利用者を示すアイコンとしての図記号あるいは文字。
・車椅子の利用者の経路案内：経路を示す面あるいは線の図記号あるいは文字。
・特定出発口への誘導案内：出発口ゲートの図記号あるいは文字。
・避難誘導：避難口の図記号、あるいは避難行動指示。避難行動指示としては、例えば、「その場で待機してください」といった文字表示が挙げられる。
・作業誘導：工場内あるいは施設内の作業者に対して次の行動の指示を示すために表示する図記号あるいは文字。
・行動の喚起：利用者に特定の行動を促す場合に、その特定の行動内容を示す図記号あるいは文字。
・注意の喚起：利用者に対象物への注意を促す場合に、対象物を示す図記号あるいは文字。または、その対象物の方向を示す図記号あるいは文字。
【００３９】
＜カテゴリＢ：方向性を示す図記号＞
人の流れの誘導を目的としたサインの中で、方向性を示す図記号が、このカテゴリＢに含まれる。方向性は、「矢印」、「線」、「点」などの記号、またはそれらの組み合わせによる図記号によって表現される。ここで、「線」の記号は、方向に加えて「経路」を意識して指示する効果がある。また、「点」の記号は、矢印と矢印の間を補完して目線を誘導する効果がある。
【００４０】
＜カテゴリＣ：注意喚起を示す図記号＞
避難誘導、作業誘導、注意喚起、行動の喚起、などといった、次の行動の指示をする場合に、まずはサインそのものに注意を促すことを推奨するための図記号あるいは指示行動そのものを示す図記号が、このカテゴリＣに含まれる。
【００４１】
次に、設定部１２による図記号および文字の組み合わせによるサイン設定の具体例を示す。
（サインの具体例１）案内経路を示すサイン（誘導サイン）
利用者を誘導するに当たり適切な案内先への経路を示す場合には、設定部１２は、上述したカテゴリＡおよびカテゴリＢの組み合わせによりサイン内容を設定する。
【００４２】
カテゴリＡおよびカテゴリＢの組み合わせによるサインを適用することで、案内先の混雑状況、および推奨経路あるいは非推奨経路を、利用者に対して的確に伝えることができる。また、カテゴリＢの「方向性を示す図記号」、案内先までの経路の形状も、利用者に対して的確に伝えることが可能となる。
【００４３】
（サインの具体例２）注意喚起を示すサイン（注意サイン）
利用者を誘導するに当たり適切な注意喚起とともに案内先への経路を示す場合には、設定部１２は、上述したカテゴリＢおよびカテゴリＣの組み合わせによりサイン内容を設定する。
【００４４】
カテゴリＢおよびカテゴリＣの組み合わせによるサインを適用することで、利用者に対して直感的な注意喚起を示した上で、その理由も伝えることが可能となる。
【００４５】
次に、制御部１３の構成および機能について詳細に説明する。
制御部１３は、外部信号として受信した切り替え情報に応じて、設定部により設定されたサイン内容を、案内内容ごとに、切り替える。
【００４６】
そこで、切り替え情報として、上述した情報１〜情報６のそれぞれを受信した際に、上述したカテゴリＡ〜カテゴリＣの案内内容を制御部１３によって切り替える制御方法について、以下に図を用いて具体例を示す。
【００４７】
（１）「情報１：誘導先の混雑状況」に基づいて制御部１３で実行されるサイン内容の表示切り替え制御に関する具体例（具体例１）
図２は、本発明の実施の形態１に係る制御部１３により実行されるサイン内容の表示切り替え制御に関する具体例１−１を示した図である。また、図３は、本発明の実施の形態１に係る制御部１３により実行されるサイン内容の表示切り替え制御に関する具体例１−２を示した図である。
【００４８】
図２および図３において、点線で囲まれた「Ａ部」は、「カテゴリＡ：サインの主たる意味を示す図記号あるいは文字」に相当し、利用者の誘導先がゲート４であることを示している。また、図２および図３において、実線で囲まれた「Ｂ部」は、「カテゴリＢ：方向性を示す図記号」に相当し、誘導先であるゲート４の方向性を示している。
【００４９】
具体例１において、制御部１３は、外部信号として「情報１：誘導先の混雑状況」を受信した場合には、図２に示すように、「Ａ部」が非表示となる時間を設定せず、「Ｂ部」の表示切り替えを行う。これにより、誘導先となる対象施設の存在を利用者に伝えたまま、その経路の変更、あるいは推奨度の変更を行って、サイン表示を切り替え制御することが可能になる。
【００５０】
制御部１３は、誘導先であるゲート４の混雑度が緩和されたことを示す情報を情報１として受信した場合には、ゲート４へ誘導する推奨度を高めるべきであると判断できる。そこで、図２に示す表示例において、制御部１３は、上段に示したサイン表示から下段に示したサイン表示に切り替えることで、利用者をゲート４へ、より直接的に誘導させることができる。
【００５１】
また、制御部１３は、「Ｂ部」の表示切り替え制御を行うに当たっては、経路表示の変更ばかりでなく、表示面積、アニメーションの有無、アニメーション速度、表示色などを変更することで、経路の推奨度合いを利用者に対して的確に伝えることができる。
【００５２】
例えば、制御部１３は、「情報１：誘導先の混雑状況」に基づいて推奨度合いを高めて経路表示を行うと判断した場合には、図３の下段に示すように、方向性を示す図記号をアニメーションさせる、あるいはアニメーションの速度を早く設定するようにして、表示切り替え制御を行うことができる。また、制御部１３は、推奨度が低い経路については、図３の上段に示すように、アニメーション表示を行わず、静止画を表示させるようにして、表示切り替え制御を行うことができる。
【００５３】
（２）「情報２：サイン表示が投影されるエリア周辺の混雑状況」に基づいて制御部１３で実行されるサイン内容の表示切り替え制御に関する具体例（具体例２）
制御部１３は、情報２に基づいてサイン表示を切り替える場合には、サイン表示が投影されるエリア周辺の混雑度合いに応じて、サインの非表示エリア、あるいはアニメーション要素の有無を変更するように、表示切り替えを行うことができる。
【００５４】
例えば、制御部１３は、先の表１で示したサービスレベルＡ〜サービスレベルＦに基づいて、サイン表示を切り替え制御することができる。図４は、本発明の実施の形態１に係る制御部１３により実行されるサイン内容の表示切り替え制御に関する具体例２を示した図である。制御部１３は、サービスレベルがＡまたはＢであり、混雑度が低いと判断した場合には、図４（ａ）に示すように、全コンテンツを投影する。
【００５５】
また、制御部１３は、サービスレベルがＣまたはＤであり、やや混雑度が高いと判断した場合には、図４（ｂ）に示すように、コンテンツ内のアニメーション要素をなくして、静止画の投影とする。さらに、制御部１３は、サービスレベルがＥまたはＦであり、混雑度が高いと判断した場合には、コンテンツ非表示として、ゲート４への誘導を中止する。
【００５６】
（３）「情報３：サイン表示を視認する利用者の属性」に基づいて制御部１３で実行されるサイン内容の表示切り替え制御に関する具体例（具体例３）
複数の利用者に対して、同時に複数の誘導先を表示する場合、制御部１３は、可能であれば、複数の誘導先を同時に並べて表示する。ただし、制御部１３は、各サインの表示面積を一定以上のサイズとして確保するように、表示切り替え制御を実施する。
【００５７】
例えば、幅が３ｍ〜５ｍあるような幅広の通路では、３〜５個程度のサインを同時に並べて提示が可能である。一方で、例えば、幅が３ｍ未満のような幅狭の通路の場合には、連なって歩行する複数の利用者に対して、先行者への案内を提示した後、後続者への案内に切り替える必要がある。
【００５８】
以下に挙げる具体例３−１では、制御部１３により、複数サインを同時に表示することを前提として、表示切り替え制御が実行される場合について説明する。また、具体例３−２および具体例３−３では、制御部１３により、利用者に合わせて単一サインを切り替えることを前提として、表示切り替え制御が実行される場合について説明する。
【００５９】
（具体例３−１）
利用者個人の属性情報に応じて、複数のサイン表示のうちの１つの誘導先を示すサインを強調して表示する場合を考える。この場合には、制御部１３は、複数のサイン表示の中で、特定の利用者に向けた案内を、ハイライト表示、色・輝度・濃淡で差をつけた表示などにより、目立たせるように表示切り替え制御を実行する。
【００６０】
図５は、本発明の実施の形態１に係る制御部１３により実行されるサイン内容の表示切り替え制御に関する具体例３−１を示した図である。図５では、トイレの位置が、手前から順番に、車いす用、男性用、女性用となっている場合を例示している。制御部１３は、図５に示すように、車いすに乗っていることを示す利用者の属性を切り替え情報として受信した場合には、車いす用のトイレの位置を目立たせるように表示切り替え制御を実行する。
【００６１】
なお、制御部１３は、利用者とサイン表示の位置との距離に応じて、ハイライト表示を点灯あるいは消灯させることで、表示切り替え制御を実行してもよい。
【００６２】
なお、制御部１３は、ハイライト色などで、同じ位置に同じ大きさで、白黒以外の色を用いて特定の利用者に向けた表示を行う場合には、色表示から色表示へ連続的に変化させることは避けて、一度全てのサイン表示を消して、再度表示し直すことで表示切り替え制御を実行してもよい。
【００６３】
（具体例３−２）
利用者個人の属性情報に応じて、サイン内容を切り替えて表示させる場合には、制御部１３は、サイン全体を一度非表示にして、再度表示し直すように、表示切り替え制御を実行することができる。
【００６４】
図６は、本発明の実施の形態１に係る制御部１３により実行されるサイン内容の表示切り替え制御に関する具体例３−２を示した図である。図６では、先の図５と同様に、トイレの位置が、手前から順番に、車いす用、男性用、女性用となっている場合を例示している。制御部１３は、切り替え制御情報として受信した利用者の属性に基づいて、複数のサイン表示の中から、特定の利用者に向けた案内を選択して、表示させることができる。
【００６５】
図６（ａ）〜図６（ｃ）では、まず、男性がトイレの手前に到着し、その後、車いすを使用する利用者がトイレの手前に到着した際の、一連の表示切り替え内容を時系列的に示している。まず、図６（ａ）では、制御部１３は、利用者の属性が男性であると判断したことで、男性用のトイレの位置のみをサイン表示する。
【００６６】
その後、図６（ｂ）では、制御部１３は、後続の利用者の属性が車いすの利用者であると判断したことで、サイン表示を切り替える前に、すべてのサインを非表示とする。さらに、図６（ｃ）では、制御部１３は、図６（ｂ）においてサインを非表示にした後に、車いす用のトイレの位置のみをサイン表示する。
【００６７】
ここで、図６（ｂ）に相当するサインを非表示にする時間は、サインが消えたことが利用者に分かるように、例えば、０．２５秒程度の時間に設定される。これにより、制御部１３は、サイン切り替えのタイミングを見た利用者に対して、はっきりとサインの意味合いが切り替わったことを伝えることが可能になる。
【００６８】
（具体例３−３）
利用者個人の属性情報に応じて、サインによる伝達内容は変えずに、言語などサインの伝え方を切り替える場合を考える。この場合には、制御部１３は、利用者とサインの表示位置との距離に応じて、連続的に各サインを切り替えるように、表示切り替え制御を実行することができる。
【００６９】
具体的には、制御部１３は、第１サインを表示→非表示に切り替える際に、第２サインを非表示→表示に切り替えることで、第１サインと第２サインとの切り替わり時に非表示時間が設定されないようにすることができる。
【００７０】
図７は、本発明の実施の形態１に係る制御部１３により実行されるサイン内容の表示切り替え制御に関する具体例３−３を示した図である。例えば、サイン表示する言語を切り替える場合には、制御部１３は、図７（ａ）〜図７（ｃ）に示すような表示切り替え制御を実行することができる。
【００７１】
図７の例では、サイン表示を視認する利用者と、サイン表示の位置との間の距離が５ｍ程度で、利用者が最もサイン表示を見易い設定とする場合を想定する。また、第１言語を英語、第２言語を日本語と想定する。この想定において、制御部１３は、図７（ａ）に示すように、第１言語対象者とサイン表示の位置との距離が５ｍの場合には、第１言語サインを表示する。
【００７２】
次に、制御部１３は、図７（ｂ）に示すように、第１言語対象者とサイン表示の位置との距離が５ｍから離れるにつれて、または５ｍ未満に近づくにつれて、第１言語サインをフェードアウトさせるように、表示切り替え制御を実行する。
【００７３】
さらに、制御部１３は、図７（ｂ）および図７（ｃ）に示すように、第１言語対象者と同時に第２言語対象者がサイン表示位置の周辺にいる場合には、サイン表示位置との距離が５ｍに近い方の対象言語をはっきりと表示させる。その一方で、制御部１３は、その他の対象言語に関しては、対象者との距離に応じてフェードインさせるか、あるいはフェードアウトさせる。図７（ｂ）および図７（ｃ）では、英語から日本語に表示切り替えが行われた場合を例示している。これにより、制御部１３は、表示位置から適した位置離れている利用者に対して、自身のために言語が変更されたことをより正確に伝えることが可能になる。
【００７４】
（４）「情報４：サイン表示を視認する利用者の誘導先」に基づいて制御部１３で実行されるサイン内容の表示切り替え制御に関する具体例（具体例４）
制御部１３は、具体例４では、全属性に対する誘導先までの経路を表示した上で、対象となる利用者の前方約５ｍの位置に投影された部分に関して表示切り替え制御を実行することで、対象者に注意を促す。図８は、本発明の実施の形態１に係る制御部１３により実行されるサイン内容の表示切り替え制御に関する具体例４−１を示した図である。
【００７５】
具体的には、制御部１３は、利用者に対応するサイン表示に関して、該当する利用者の前方約５ｍの位置に投影されたサイン表示部分に対して、点滅などの効果を加えながら連続的に表示と非表示とを切り替える。この際、制御部１３は、経路案内の途中で、サインを構成する図記号あるいは文字が非表示とならないように、表示切り替え制御を実行する。これにより、複数の案内先経路を同時に表示させる場合であっても、利用者は、自身が視認したいサイン表示を判別し易くなる効果が得られる。
【００７６】
また、制御部１３は、誘導先の表示サイン自体を変更する場合には、サイン全体を一度非表示にして、再度表示し直すように表示切り替え制御を実行する。サインの非表示時間は、先の図６で説明したように、サインが消えたことが分かるように、例えば、０．２５秒程度の時間に設定される。これにより、サイン切り替えのタイミングを見た利用者に対して、サインの意味合いが変わったことを明確に伝えることが可能になる。
【００７７】
また、複数のサイン表示のうち、１つの誘導先を示すサイン表示を強調したい場合には、制御部１３は、図５で説明したように、その中で特定の利用者に向けた案内を、ハイライト表示、色・輝度・濃淡で差をつけた表示などにより、目立たせるように表示切り替え制御を実行する。なお、制御部１３は、利用者とサイン表示の位置との距離に応じて、ハイライト表示を点灯あるいは消灯させることで、表示切り替え制御を実行してもよい。
【００７８】
また、制御部１３は、利用者の誘導先情報に応じて、複数の図記号あるいは文字を連続的に表示する際に、サイン表示を構成する図記号あるいは文字のうち、いずれか１つ以上が表示された状態を維持するように表示切り替え制御を実行してもよい。
【００７９】
図９は、本発明の実施の形態１に係る制御部１３により実行されるサイン内容の表示切り替え制御に関する具体例４−２を示した図である。図９に示したサイン表示は、４つの矢印である図記号Ｘ１〜Ｘ４により構成されている。制御部１３は、図記号Ｘ１は常時表示された状態を維持した上で、図９（ａ）→図９（ｂ）→図９（ｃ）→図９（ｄ）の順で、表示される矢印の数を順次変更することで、表示切り替え制御を実行する。
【００８０】
なお、表示された状態を維持するサインは、例えば、利用者の前方５ｍ前後に表示されたサインとすることが適切である。従って、図９の例では、制御部１３は、複数のサインの１つである図記号Ｘ１を常時表示としているが、それぞれの図記号Ｘ１〜Ｘ４と利用者との間の距離に応じて、どの図記号を常時表示させるべきかを順次調整するようにして表示切り替え制御を実行してもよい。
【００８１】
（５）「情報５：サイン表示を行う時間帯」に基づいて制御部１３で実行されるサイン内容の表示切り替え制御に関する具体例（具体例５）
制御部１３は、時間帯に応じてサイン表示の内容を切り替える場合には、サイン全体を一度非表示にして、再度表示し直す。サインの非表示時間は、先の図６で説明したように、サインが消えたことが分かるように、例えば、０．２５秒程度の時間に設定される。
【００８２】
（６）「情報６：緊急度情報」に基づいて制御部１３で実行されるサイン内容の表示切り替え制御に関する具体例（具体例６）
制御部１３は、緊急度情報に応じてサイン表示を切り替える場合には、「カテゴリＡ：サインの主たる意味を示す図記号あるいは文字」または「カテゴリＣ：注意喚起を示す図記号」に対して、点滅などの効果を加える。これにより、制御部１３は、利用者に対して、情報が切り替わったことへの注意を促すことができる。
【００８３】
図１０は、本発明の実施の形態１に係る制御部１３により実行されるサイン内容の表示切り替え制御に関する具体例６−１を示した図である。制御部１３は、図１０（ａ）に示すように、通常時の誘導として、非常口の方向を示すサイン表示を行う。制御部１３は、緊急度情報を受信した場合には、図１０（ｂ）に示すように、アイコン部を短い周期で激しく点滅させるように表示切り替え制御を実行する。この結果、利用者は、緊急度情報に伴ってサイン表示が切り替わったことを迅速に視認でき、かつ、避難経路を容易に識別することができる。
【００８４】
そして、制御部１３は、切り替えが完了した後には、図１０（ｃ）に示すように、アイコン部をゆっくり点滅するように切り替える。なお、制御部１３は、図１０（ｂ）および図１０（ｃ）に示した「出口ではありません」という文字部分は、点滅させなくてもよい。文字部分が点滅しないことで、利用者は、文字情報を正確に読み取ることができる。
【００８５】
また、属性に応じて異なる避難経路を表示させたい場合には、制御部１３は、以下のような表示切り替え制御を実行することができる。属性に応じた異なる避難経路の案内としては、以下のような具体例が挙げられる。
・「歩行者用の避難階段」と「車椅子の利用者用の一次退避場所、および避難用エレベーター」の案内
・「消防作業者用の消防経路」と「施設利用者の避難経路」の案内
【００８６】
このような場合、制御部１３は、全属性に対する避難経路を提示した上で、特に強調すべき避難経路について、点滅などの効果を加えて表示させることで、利用者に注意を促すことができる。図１１は、本発明の実施の形態１に係る制御部１３により実行されるサイン内容の表示切り替え制御に関する具体例６−２を示した図である。
【００８７】
図１１に示した具体例６−２では、「歩行者用の避難階段」と、「車椅子の利用者用の一次退避場所」と、「消防作業者用の消防経路」とが識別表示されている。特に、制御部１３は、「この場で待機」という文字を点滅表示あるいはハイライト表示させることで、車椅子の利用者に対して、その場で待機すべきことを明確に伝達することができる。
【００８８】
なお、図１１のような表示を行うに当たり、制御部１３は、あらかじめ設定された優先順位に応じて、強調表示する属性を設定することができる。あるいは、制御部１３は、サイン表示を行う場所の状況に応じて、強調する属性を適宜設定しても良い。なお、サイン表示を行う場所の状況とは、その場所にいる利用者の属性の状況、あるいは、その場所および周辺での火災、煙などの発生状況を意味している。
【００８９】
次に、出力部１４の構成および機能について詳細に説明する。
液晶を用いたプロジェクター、影絵を投射する投射機、液晶ディスプレイなど、状況に応じて表示内容を切り替え可能な機器が、出力部１４に相当する。なお、出力部１４としては、状況に応じて表示内容を切り替え可能な機器と、シール、ポスターなど、スタティックな情報提示物とを併用する構成としても良い。
【００９０】
なお、出力部１４として投射機を用いる場合には、シールの上に投射エリアを設定することで、投射面の輝度を向上させることができる。
【００９１】
次に、本実施の形態１に係るサイン表示装置において実行されるサイン表示切り替え方法について、フローチャートを用いて説明する。図１２は、本発明の実施の形態１におけるサイン表示切り替え方法の一連処理を示すフローチャートである。
【００９２】
まず初めに、ステップＳ１において、設定部１２は、サイン表示を構成するサインデータが記憶されているデータベース１１を参照し、データベース１１に記憶されているサインデータを組み合わせることで、サイン表示を行うためのサイン内容を設定する。このステップＳ１は、「設定ステップ」に相当する。
【００９３】
次に、ステップＳ２において、制御部１３は、サイン切り替えのトリガとなる切り替え情報を受信し、切り替え情報に基づいて設定ステップで設定されたサイン内容を切り替えるための表示切り替え制御を実施し、切り替え情報に応じたサイン表示を行う。このステップＳ２は、「制御ステップ」に相当する。
【００９４】
ステップＳ２において、制御部１３によって実行される表示切り替え制御の具体例は、図２から図１１を用いて詳述した内容に相当する。
【００９５】
なお、上述した実施の形態１に係るサイン表示装置における各機能は、処理回路によって実現される。各機能を実現する処理回路は、専用のハードウェアであってもよく、メモリに格納されるプログラムを実行するプロセッサであってもよい。図１３は、本発明の実施の形態１に係るサイン表示装置の各機能を専用のハードウェアである処理回路１０００で実現する場合を示した構成図である。また、図１４は、本発明の実施の形態１に係るサイン表示装置の各機能をプロセッサ２００１およびメモリ２００２を備えた処理回路２０００により実現する場合を示した構成図である。
【００９６】
処理回路が専用のハードウェアである場合、処理回路１０００は、例えば、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）、またはこれらを組み合わせたものが該当する。設定部１２および制御部１３における各部の機能それぞれを個別の処理回路１０００で実現してもよいし、各部の機能をまとめて処理回路１０００で実現してもよい。
【００９７】
一方、処理回路がプロセッサ２００１の場合、設定部１２および制御部１３における各部の機能は、ソフトウェア、ファームウェア、またはソフトウェアとファームウェアとの組み合わせにより実現される。ソフトウェアおよびファームウェアは、プログラムとして記述され、メモリ２００２に格納される。プロセッサ２００１は、メモリ２００２に記憶されたプログラムを読み出して実行することにより、各部の機能を実現する。すなわち、サイン表示装置は、処理回路２０００により実行されるときに、一例として示した図１２における各ステップが結果的に実行されることになるプログラムを格納するためのメモリ２００２を備える。
【００９８】
これらのプログラムは、上述した各部の手順あるいは方法をコンピュータに実行させるものであるともいえる。ここで、メモリ２００２は、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）等の、不揮発性または揮発性の半導体メモリが該当する。また、磁気ディスク、フレキシブルディスク、光ディスク、コンパクトディスク、ミニディスク、ＤＶＤ等も、メモリ２００２に該当する。
【００９９】
なお、上述した各部の機能について、一部を専用のハードウェアで実現し、一部をソフトウェアまたはファームウェアで実現するようにしてもよい。
【０１００】
このように、処理回路は、ハードウェア、ソフトウェア、ファームウェア、またはこれらの組み合わせによって、上述した各部の機能を実現することができる。
【０１０１】
実施の形態１に係るサイン表示装置は、上述した具体例に限定されず、２つ以上の具体例を組み合わせることも可能である。そして、上述した具体例およびそれらの組み合わせに基づく構成および効果をまとめると、以下のようになる。
【０１０２】
実施の形態１に係るサイン表示装置は、データベース、設定部、および制御部を備えて構成されている。データベースには、サイン表示を構成するサインデータが記憶されている。設定部は、データベースに記憶されているサインデータを組み合わせることで、サイン表示を行うためのサイン内容を設定する。さらに、制御部は、サイン切り替えのトリガとなる切り替え情報を受信し、切り替え情報に基づいて設定部で設定されたサイン内容を切り替え、サイン表示を行う。
【０１０３】
このように、実施の形態１に係るサイン表示装置は、サイン切り替えのトリガとなる切り替え情報に基づいて、個々の利用者に応じてサイン内容を切り替えて表示できる構成を備えている。この結果、個々人に対応してサイン表示を切り替える際に、サイン表示を視認する個々の利用者に対してサイン表示が自分に関係するものであることを分かり易くする表示させることのできるサイン表示装置を実現できる。
【０１０４】
また、設定部は、データベースに記憶されているサインデータを組み合わせることで、第１のサイン内容と第２のサイン内容とが含まれるように前記サイン内容を設定することができる。そして、制御部は、切り替え情報に基づいてサイン内容を切り替える際に、第１のサイン内容を切り替えるために第１のルールを適用し、第２のサイン内容を切り替えるために第１のルールとは異なる第２のルールを適用することで、サイン内容を切り替えることができる。
【０１０５】
より具体的には、制御部は、図２〜図４、図８、および図９で示したような表示切り替え制御を実行することができる。例えば、図２および図３における「Ａ部」が第１のサイン内容に相当し、「Ａ部」に関する表示切り替え制御のルールが第１のルールに相当する。また、図２および図３における「Ｂ部」が第２のサイン内容に相当し、「Ｂ部」に関する表示切り替え制御のルールが第２のルールに相当する。
【０１０６】
さらに、切り替え情報は、サイン表示による誘導先の変更に伴う表示切り替えを行うための第１の切り替え情報と、サイン表示が投影されるエリアの状況に応じて表示切り替えを行うための第２の切り替え情報とを含んで構成することができる。第１の切り替え情報としては、図３および図６で示した具体例が挙げられる。また、第２の切り替え情報としては、図７に示した具体例が挙げられる。
【０１０７】
この場合、制御部は、第１の切り替え情報を受信した場合には、変更前の誘導先に関する表示コンテンツをすべて消灯させた後、変更後の誘導先に関する表示コンテンツを表示させるようにサイン内容を切り替え、サイン表示を行うことができる。
【０１０８】
また、制御部は、第２の切り替え情報を受信した場合には、エリア内の特定の表示コンテンツを常時点灯状態とした上で、特定の表示コンテンツ以外の一部の表示コンテンツを変更するようにサイン内容を切り替え、サイン表示を行うことができる。
【０１０９】
また、切り替え情報は、サイン表示を視認する利用者の属性を示す第３の切り替え情報を含んで構成することができる。この場合、制御部は、第３の切り替え情報を受信した場合には、属性に応じてサイン内容を切り替え、サイン表示を行うことができる。第３の切り替え情報としては、図５〜図７で示した具体例が挙げられる。
【０１１０】
また、切り替え情報は、サイン表示を視認する利用者に対して知らせるべき緊急情報および緊急度を示す第４の切り替え情報を含んで構成することができる。この場合、制御部は、第４の切り替え情報を受信した場合には、緊急度に応じて緊急情報を表示するようにサイン内容を切り替え、サイン表示を行うことができる。第４の切り替え情報としては、図１０および図１１で示した具体例が挙げられる。
【符号の説明】
【０１１１】
１０  サイン表示装置、１１  データベース、１２  設定部、１３  制御部、１４  出力部。
【図１】
2020208819.tif 000004
【図２】
2020208819.tif 000005
【図３】
2020208819.tif 000006
【図４】
2020208819.tif 000007
【図５】
2020208819.tif 000008
【図６】
2020208819.tif 000009
【図７】
2020208819.tif 000010
【図８】
2020208819.tif 000011
【図９】
2020208819.tif 000012
【図１０】
2020208819.tif 000013
【図１１】
2020208819.tif 000014
【図１２】
2020208819.tif 000015
【図１３】
2020208819.tif 000016
【図１４】
2020208819.tif 000017
【手続補正書】
【提出日】令和1年8月8日(2019.8.8)
【手続補正１】
【補正対象書類名】明細書
【補正対象項目名】０００８
【補正方法】変更
【補正の内容】
【０００８】
本発明に係るサイン表示装置は、サイン表示を構成するサインデータが記憶されているデータベースと、データベースに記憶されているサインデータを組み合わせることで、サイン表示を行うためのサイン内容を設定する設定部と、サイン切り替えのトリガとなる切り替え情報を受信し、切り替え情報に基づいて設定部で設定されたサイン内容を切り替え、前記切り替え時に前記サイン表示の強調度を切り替えて、切り替え後のサイン表示を行う制御部とを備えるものである。
【手続補正２】
【補正対象書類名】明細書
【補正対象項目名】０００９
【補正方法】変更
【補正の内容】
【０００９】
また、本発明に係るサイン表示切り替え方法は、サイン表示を構成するサインデータが記憶されているデータベースを参照し、データベースに記憶されているサインデータを組み合わせることで、サイン表示を行うためのサイン内容を設定する設定ステップと、サイン切り替えのトリガとなる切り替え情報を受信し、切り替え情報に基づいて設定ステップで設定されたサイン内容を切り替え、前記切り替え時に前記サイン表示の強調度を切り替えて、切り替え後のサイン表示を行う制御ステップとを有するものである。
【手続補正３】
【補正対象書類名】特許請求の範囲
【補正対象項目名】全文
【補正方法】変更
【補正の内容】
【特許請求の範囲】
【請求項１】
サイン表示を構成するサインデータが記憶されているデータベースと、
前記データベースに記憶されている前記サインデータを組み合わせることで、前記サイン表示を行うためのサイン内容を設定する設定部と、
サイン切り替えのトリガとなる切り替え情報を受信し、前記切り替え情報に基づいて前記設定部で設定された前記サイン内容を切り替え、前記切り替え時に前記サイン表示の強調度を切り替えて、切り替え後の前記サイン表示を行う制御部と
を備えるサイン表示装置。
【請求項２】
前記制御部は、前記切り替え時に前記サイン表示を点滅させた後、切り替え後の前記サイン表示を行う
請求項１に記載のサイン表示装置。
【請求項３】
前記制御部は、前記切り替え時に前記サイン表示を消灯させた後、切り替え後の前記サイン表示を行う
請求項１に記載のサイン表示装置。
【請求項４】
前記制御部は、前記切り替え時に前記サイン表示をハイライト表示させた後、切り替え後の前記サイン表示を行う
請求項１に記載のサイン表示装置。
【請求項５】
前記設定部は、前記データベースに記憶されている前記サインデータを組み合わせることで、第１のサイン内容と第２のサイン内容とが含まれるように前記サイン内容を設定し、
前記制御部は、前記切り替え情報に基づいて前記サイン内容を切り替える際に、前記第１のサイン内容を切り替えるために第１のルールを適用し、前記第２のサイン内容を切り替えるために前記第１のルールとは異なる第２のルールを適用することで、前記サイン内容を切り替える
請求項１から４のいずれか１項に記載のサイン表示装置。
【請求項６】
前記切り替え情報は、前記サイン表示による誘導先の変更に伴う表示切り替えを行うための第１の切り替え情報と、前記サイン表示が投影されるエリアの状況に応じて表示切り替えを行うための第２の切り替え情報とを含んで構成され、
前記制御部は、
前記第１の切り替え情報を受信した場合には、変更前の誘導先に関する表示コンテンツをすべて消灯させた後、変更後の誘導先に関する表示コンテンツを表示させるように前記サイン内容を切り替え、前記サイン表示を行い、
前記第２の切り替え情報を受信した場合には、前記エリア内の特定の表示コンテンツを常時点灯状態とした上で、前記特定の表示コンテンツ以外の一部の表示コンテンツを変更するように前記サイン内容を切り替え、前記サイン表示を行う
請求項１から５のいずれか１項に記載のサイン表示装置。
【請求項７】
前記切り替え情報は、前記サイン表示を視認する利用者の属性を示す第３の切り替え情報を含んで構成され、
前記制御部は、前記第３の切り替え情報を受信した場合には、前記属性に応じて前記サイン内容を切り替え、前記サイン表示を行う
請求項１から６のいずれか１項に記載のサイン表示装置。
【請求項８】
前記切り替え情報は、前記サイン表示を視認する利用者に対して知らせるべき緊急情報および緊急度を示す第４の切り替え情報を含んで構成され、
前記制御部は、前記第４の切り替え情報を受信した場合には、前記緊急度に応じて前記緊急情報を表示するように前記サイン内容を切り替え、前記サイン表示を行う
請求項１から７のいずれか１項に記載のサイン表示装置。
【請求項９】
サイン表示を構成するサインデータが記憶されているデータベースを参照し、前記データベースに記憶されている前記サインデータを組み合わせることで、前記サイン表示を行うためのサイン内容を設定する設定ステップと、
サイン切り替えのトリガとなる切り替え情報を受信し、前記切り替え情報に基づいて前記設定ステップで設定された前記サイン内容を切り替え、前記切り替え時に前記サイン表示の強調度を切り替えて、切り替え後の前記サイン表示を行う制御ステップと
を有するサイン表示切り替え方法。
【手続補正書】
【提出日】令和1年11月8日(2019.11.8)
【手続補正１】
【補正対象書類名】明細書
【補正対象項目名】０００８
【補正方法】変更
【補正の内容】
【０００８】
本発明に係るサイン表示装置は、サイン表示を構成するサインデータが記憶されているデータベースと、データベースに記憶されているサインデータを組み合わせることで、サインを視認する個々の利用者に対して１つ以上の意味を伝えることができるとともに、個々の利用者が自分に関係する表示であることを分かり易く表示させることができるように、サイン表示を行うためのサイン内容を設定する設定部と、サイン切り替えのトリガとなる切り替え情報を受信し、切り替え情報に基づいて設定部で設定されたサイン内容を切り替え、前記切り替え時に前記サイン表示の強調度を切り替えて、切り替え後のサイン表示を行う制御部とを備えるものである。
【手続補正２】
【補正対象書類名】明細書
【補正対象項目名】０００９
【補正方法】変更
【補正の内容】
【０００９】
また、本発明に係るサイン表示切り替え方法は、サイン表示を構成するサインデータが記憶されているデータベースを参照し、データベースに記憶されているサインデータを組み合わせることで、サインを視認する個々の利用者に対して１つ以上の意味を伝えることができるとともに、個々の利用者が自分に関係する表示であることを分かり易く表示させることができるように、サイン表示を行うためのサイン内容を設定する設定ステップと、サイン切り替えのトリガとなる切り替え情報を受信し、切り替え情報に基づいて設定ステップで設定されたサイン内容を切り替え、前記切り替え時に前記サイン表示の強調度を切り替えて、切り替え後のサイン表示を行う制御ステップとを有するものである。
【手続補正３】
【補正対象書類名】特許請求の範囲
【補正対象項目名】全文
【補正方法】変更
【補正の内容】
【特許請求の範囲】
【請求項１】
サイン表示を構成するサインデータが記憶されているデータベースと、
前記データベースに記憶されている前記サインデータを組み合わせることで、サインを視認する個々の利用者に対して１つ以上の意味を伝えることができるとともに、前記個々の利用者が自分に関係する表示であることを分かり易く表示させることができるように、前記サイン表示を行うためのサイン内容を設定する設定部と、
サイン切り替えのトリガとなる切り替え情報を受信し、前記切り替え情報に基づいて前記設定部で設定された前記サイン内容を切り替え、前記切り替え時に前記サイン表示の強調度を切り替えて、切り替え後の前記サイン表示を行う制御部と
を備えるサイン表示装置。
【請求項２】
前記制御部は、前記切り替え時に前記サイン表示を点滅させた後、切り替え後の前記サイン表示を行う
請求項１に記載のサイン表示装置。
【請求項３】
前記制御部は、前記切り替え時に前記サイン表示を消灯させた後、切り替え後の前記サイン表示を行う
請求項１に記載のサイン表示装置。
【請求項４】
前記制御部は、前記切り替え時に前記サイン表示をハイライト表示させた後、切り替え後の前記サイン表示を行う
請求項１に記載のサイン表示装置。
【請求項５】
前記設定部は、前記データベースに記憶されている前記サインデータを組み合わせることで、第１のサイン内容と第２のサイン内容とが含まれるように前記サイン内容を設定し、
前記制御部は、前記切り替え情報に基づいて前記サイン内容を切り替える際に、前記第１のサイン内容を切り替えるために第１のルールを適用し、前記第２のサイン内容を切り替えるために前記第１のルールとは異なる第２のルールを適用することで、前記サイン内容を切り替える
請求項１から４のいずれか１項に記載のサイン表示装置。
【請求項６】
前記切り替え情報は、前記サイン表示による誘導先の変更に伴う表示切り替えを行うための第１の切り替え情報と、前記サイン表示が投影されるエリアの状況に応じて表示切り替えを行うための第２の切り替え情報とを含んで構成され、
前記制御部は、
前記第１の切り替え情報を受信した場合には、変更前の誘導先に関する表示コンテンツをすべて消灯させた後、変更後の誘導先に関する表示コンテンツを表示させるように前記サイン内容を切り替え、前記サイン表示を行い、
前記第２の切り替え情報を受信した場合には、前記エリア内の特定の表示コンテンツを常時点灯状態とした上で、前記特定の表示コンテンツ以外の一部の表示コンテンツを変更するように前記サイン内容を切り替え、前記サイン表示を行う
請求項１から５のいずれか１項に記載のサイン表示装置。
【請求項７】
前記切り替え情報は、前記サイン表示を視認する利用者の属性を示す第３の切り替え情報を含んで構成され、
前記制御部は、前記第３の切り替え情報を受信した場合には、前記属性に応じて前記サイン内容を切り替え、前記サイン表示を行う
請求項１から６のいずれか１項に記載のサイン表示装置。
【請求項８】
前記切り替え情報は、前記サイン表示を視認する利用者に対して知らせるべき緊急情報および緊急度を示す第４の切り替え情報を含んで構成され、
前記制御部は、前記第４の切り替え情報を受信した場合には、前記緊急度に応じて前記緊急情報を表示するように前記サイン内容を切り替え、前記サイン表示を行う
請求項１から７のいずれか１項に記載のサイン表示装置。
【請求項９】
サイン表示を構成するサインデータが記憶されているデータベースを参照し、前記データベースに記憶されている前記サインデータを組み合わせることで、サインを視認する個々の利用者に対して１つ以上の意味を伝えることができるとともに、前記個々の利用者が自分に関係する表示であることを分かり易く表示させることができるように、前記サイン表示を行うためのサイン内容を設定する設定ステップと、
サイン切り替えのトリガとなる切り替え情報を受信し、前記切り替え情報に基づいて前記設定ステップで設定された前記サイン内容を切り替え、前記切り替え時に前記サイン表示の強調度を切り替えて、切り替え後の前記サイン表示を行う制御ステップと
を有するサイン表示切り替え方法。
【手続補正書】
【提出日】令和2年3月25日(2020.3.25)
【手続補正１】
【補正対象書類名】明細書
【補正対象項目名】０００８
【補正方法】変更
【補正の内容】
【０００８】
本発明に係るサイン表示装置は、サイン表示を構成するサインデータが記憶されているデータベースと、データベースに記憶されているサインデータを組み合わせることで、サイン表示を行うためのサイン内容を設定する設定部と、サイン切り替えのトリガとなる切り替え情報を受信し、切り替え情報に基づいて設定部で設定されたサイン内容を切り替え、切り替え時にサイン表示の強調度を切り替えて、切り替え後のサイン表示を行う制御部とを備え、設定部は、制御部においてサインを視認する個々の利用者が自分に関係する表示であることを分かり易く表示させることができるように、データベースに記憶されているサインデータを組み合わせることで、個々の利用者に対して１つ以上の意味を伝えることができるサイン内容を設定し、制御部は、切り替え情報に応じてサイン内容を切り替えることで、切り替え情報に応じたサインデータの組み合わせを用いてサイン表示を行うものである。
【手続補正２】
【補正対象書類名】明細書
【補正対象項目名】０００９
【補正方法】変更
【補正の内容】
【０００９】
また、本発明に係るサイン表示切り替え方法は、サイン表示を構成するサインデータが記憶されているデータベースを参照し、データベースに記憶されているサインデータを組み合わせることで、サイン表示を行うためのサイン内容を設定する設定ステップと、サイン切り替えのトリガとなる切り替え情報を受信し、切り替え情報に基づいて設定ステップで設定されたサイン内容を切り替え、切り替え時にサイン表示の強調度を切り替えて、切り替え後のサイン表示を行う制御ステップとを有し、設定ステップは、制御ステップにおいてサインを視認する個々の利用者が自分に関係する表示であることを分かり易く表示させることができるように、データベースに記憶されているサインデータを組み合わせることで、個々の利用者に対して１つ以上の意味を伝えることができるサイン内容を設定し、制御ステップは、切り替え情報に応じてサイン内容を切り替えることで、切り替え情報に応じたサインデータの組み合わせを用いてサイン表示を行うものである。
【手続補正３】
【補正対象書類名】特許請求の範囲
【補正対象項目名】全文
【補正方法】変更
【補正の内容】
【特許請求の範囲】
【請求項１】
サイン表示を構成するサインデータが記憶されているデータベースと、
前記データベースに記憶されている前記サインデータを組み合わせることで、前記サイン表示を行うためのサイン内容を設定する設定部と、
サイン切り替えのトリガとなる切り替え情報を受信し、前記切り替え情報に基づいて前記設定部で設定された前記サイン内容を切り替え、前記切り替え時に前記サイン表示の強調度を切り替えて、切り替え後の前記サイン表示を行う制御部と
を備え、
前記設定部は、前記制御部においてサインを視認する個々の利用者が自分に関係する表示であることを分かり易く表示させることができるように、前記データベースに記憶されている前記サインデータを組み合わせることで、前記個々の利用者に対して１つ以上の意味を伝えることができるサイン内容を設定し、
前記制御部は、前記切り替え情報に応じて前記サイン内容を切り替えることで、前記切り替え情報に応じたサインデータの組み合わせを用いて前記サイン表示を行う
サイン表示装置。
【請求項２】
前記制御部は、前記切り替え時に前記サイン表示を点滅させた後、切り替え後の前記サイン表示を行う
請求項１に記載のサイン表示装置。
【請求項３】
前記制御部は、前記切り替え時に前記サイン表示を消灯させた後、切り替え後の前記サイン表示を行う
請求項１に記載のサイン表示装置。
【請求項４】
前記制御部は、前記切り替え時に前記サイン表示をハイライト表示させた後、切り替え後の前記サイン表示を行う
請求項１に記載のサイン表示装置。
【請求項５】
前記設定部は、前記データベースに記憶されている前記サインデータを組み合わせることで、第１のサイン内容と第２のサイン内容とが含まれるように前記サイン内容を設定し、
前記制御部は、前記切り替え情報に基づいて前記サイン内容を切り替える際に、前記第１のサイン内容を切り替えるために第１のルールを適用し、前記第２のサイン内容を切り替えるために前記第１のルールとは異なる第２のルールを適用することで、前記サイン内容を切り替える
請求項１から４のいずれか１項に記載のサイン表示装置。
【請求項６】
前記切り替え情報は、前記サイン表示による誘導先の変更に伴う表示切り替えを行うための第１の切り替え情報と、前記サイン表示が投影されるエリアの状況に応じて表示切り替えを行うための第２の切り替え情報とを含んで構成され、
前記制御部は、
前記第１の切り替え情報を受信した場合には、変更前の誘導先に関する表示コンテンツをすべて消灯させた後、変更後の誘導先に関する表示コンテンツを表示させるように前記サイン内容を切り替え、前記サイン表示を行い、
前記第２の切り替え情報を受信した場合には、前記エリア内の特定の表示コンテンツを常時点灯状態とした上で、前記特定の表示コンテンツ以外の一部の表示コンテンツを変更するように前記サイン内容を切り替え、前記サイン表示を行う
請求項１から５のいずれか１項に記載のサイン表示装置。
【請求項７】
前記切り替え情報は、前記サイン表示を視認する利用者の属性を示す第３の切り替え情報を含んで構成され、
前記制御部は、前記第３の切り替え情報を受信した場合には、前記属性に応じて前記サイン内容を切り替え、前記サイン表示を行う
請求項１から６のいずれか１項に記載のサイン表示装置。
【請求項８】
前記切り替え情報は、前記サイン表示を視認する利用者に対して知らせるべき緊急情報および緊急度を示す第４の切り替え情報を含んで構成され、
前記制御部は、前記第４の切り替え情報を受信した場合には、前記緊急度に応じて前記緊急情報を表示するように前記サイン内容を切り替え、前記サイン表示を行う
請求項１から７のいずれか１項に記載のサイン表示装置。
【請求項９】
サイン表示を構成するサインデータが記憶されているデータベースを参照し、前記データベースに記憶されている前記サインデータを組み合わせることで、前記サイン表示を行うためのサイン内容を設定する設定ステップと、
サイン切り替えのトリガとなる切り替え情報を受信し、前記切り替え情報に基づいて前記設定ステップで設定された前記サイン内容を切り替え、前記切り替え時に前記サイン表示の強調度を切り替えて、切り替え後の前記サイン表示を行う制御ステップと
を有し、
前記設定ステップは、前記制御ステップにおいてサインを視認する個々の利用者が自分に関係する表示であることを分かり易く表示させることができるように、前記データベースに記憶されている前記サインデータを組み合わせることで、前記個々の利用者に対して１つ以上の意味を伝えることができるサイン内容を設定し、
前記制御ステップは、前記切り替え情報に応じて前記サイン内容を切り替えることで、前記切り替え情報に応じたサインデータの組み合わせを用いて前記サイン表示を行う
サイン表示切り替え方法。
【国際調査報告】
2020208819.tif 000018
2020208819.tif 000019
2020208819.tif 000020
2020208819.tif 000021